(57)【要約】      （修正有）【課題】襖の模様の途切れを避け、襖全体としてシンプルなデザイン演出が可能で、日本古来の伝統技術の保護を図る。【解決手段】平板状に組まれた襖骨１０と、襖骨１０の両面に対向するように貼り付けられる２枚の厚紙２１と、厚紙２１のそれぞれの表面を覆うように貼り付けられる襖紙３１と、引き手下地用襖紙３２と、引き手下地用襖紙３２を下地として襖紙３１の表面から襖骨１０に装着される透明な引き手４０と、襖骨１０の上部側面に設けられる上縁５１と、襖骨１０の下部側面に設けられる下縁５２とから構成されている。【選択図】図１
0003129869.tif 000002
【実用新案登録請求の範囲】
【請求項１】
透明な材質からなる襖の引き手。
【請求項２】
木製の襖骨と、
該襖骨に、対向して貼り付けられる少なくとも２枚の厚紙と、
前記襖骨および前記厚紙を覆うように貼り付けられる襖紙とを有する襖に、釘を用いて設けられてなる請求項１記載の襖の引き手。
【請求項３】
前記材質が、透明性を有する合成樹脂である請求項１記載の襖の引き手。
【請求項４】
請求項１、２または３記載の襖の引き手を用いてなる襖。
【考案の詳細な説明】
【技術分野】
【０００１】
本考案は、襖の引き手および該襖の引き手を用いた襖に関する。さらに詳しくは、透明な材質からなる襖の引き手および襖の引き手を用いた襖に関する。
【背景技術】
【０００２】
従来、日本では、間仕切り建具として襖が多用されている。また、近年、襖の構造は、その製造方法に応じて多様化している。例えば、専門の職人が日本古来の伝統的な技術を用いて作った和襖がある一方で、大量生産に適した構造の襖などがある。
【０００３】
図５（ａ）および図５（ｂ）には、大量生産に適した襖の構造が示されている。図５（ａ）は、襖芯１０ａとして発泡スチロールを用いた形態であり、図５（ｂ）は、襖芯１０ｂとしてダンボールを用いた形態を示している。襖１０１ａ、１０１ｂは、襖芯１０ａまたは１０ｂと、表面に模様や絵柄が施されて、襖芯の両面に貼り付けられる厚紙２１と、襖芯１０ａまたは１０ｂの側縁を覆う襖縁（上縁５１、下縁５２、たて縁５３）と、厚紙２１に形成された開口２１ａを貫通して、襖芯１０ａまたは１０ｂに形成された凹部ｘに接着剤などで固着される木製または金属製の引き手４４とから構成されている。
【０００４】
引き手には、主として、襖の開け閉めの際に、手垢などの汚れが襖紙に付着するのを防ぐ役割があるが、上述したような大量生産向けの襖に用いられている引き手には、厚紙２１に形成された開口２１ａから覗く襖芯１０ａ、１０ｂの材料、すなわち、発泡スチロールやダンボールを隠す役割もある。そのため、大量生産に適した襖に用いられる引き手は、とくに、不透明な合成樹脂製、木製、金属製でなければならない。
【０００５】
特許文献１には、複数の構成部品の一部を一体に成形することで、高級感があり、コストを安く抑えた襖用の引き手が開示されている。
【０００６】
【特許文献１】特開２００２−１２１９３４号公報
【考案の開示】
【考案が解決しようとする課題】
【０００７】
しかしながら、上述の大量生産に適した構造の襖が普及するに伴って、日本古来の伝統技術である、木製の襖骨の組立て技術や、襖紙の貼り付け技術が衰退してしまうという問題があった。
【０００８】
また、特許文献１の襖用の引き手では、引き手を構成する各部品が金属製であるので、高級感を得られる、という引き手自体の意匠上の利点がある。しかしながら、その反面で、引き手が不透明な金属製であるがゆえに、引き手の意匠に工夫が施されるほど引き手自体がその存在を過度に主張して、襖全体のデザインをシンプルにするのが困難になってしまうという問題があった。また、図６（ａ）、（ｂ）に示されるように、特許文献１の引き手を襖に装着すると、襖紙の模様や絵柄が、引き手の部分に差し掛かって描かれている場合には、引き手を装着することによって、襖紙の模様や絵柄が途切れてしまうという問題があった。たとえ、特許文献１の引き手を、無地の襖紙が貼られた襖に装着したとしても、引き手の存在感はさらに強められ、シンプルなデザインの襖を実現するのが困難になってしまうという問題があった。
【０００９】
本考案は、上記従来の問題に鑑みてなされたものであり、襖の模様の途切れを避け、襖全体としてシンプルなデザイン演出が可能で、日本古来の伝統技術の保護を図ることが可能な襖の引き手および該襖の引き手を用いた襖を提供することを目的としている。
【課題を解決するための手段】
【００１０】
本考案の襖の引き手は、透明な材質からなることにより、上記目的が達成される。
【００１１】
また、本考案の襖の引き手は、木製の襖骨と、該襖骨に、対向して貼り付けられる少なくとも２枚の厚紙と、前記襖骨および前記厚紙を覆うように貼り付けられた襖紙とを有する襖に、釘を用いて設けられてなることが好ましい。
【００１２】
また、前記材質が、透明性を有する合成樹脂であることが好ましい。
【００１３】
さらに、本考案の襖は、前記襖の引き手を用いてなることにより、上記目的が達成される。
【考案の効果】
【００１４】
本考案によれば、引き手を装着することによって引き手の下の部分の襖紙の模様が隠されることがない。これにより、襖の模様の途切れがなくなる。また、引き手自体がその存在を過度に主張することがなく、くわえて、襖縁として、別途たて縁を設ける必要がなく、隣り合う襖の模様の途切れを避けることができるので、襖全体としてシンプルなデザイン演出が可能となる。さらに、本考案の襖の引き手は、その取り付けに接着剤を用いることを想定しておらず、木製の襖骨に釘を用いて取り付けることを前提としているので、日本古来の木製襖骨の組立技術や和紙貼り技術などの伝統技術を保存することができ、表具屋、襖屋などの伝統技術を承継している団体の保護を図ることができる。
【考案を実施するための最良の形態】
【００１５】
本考案の襖の引き手は、木製の襖骨と、その襖骨に、対向して貼り付けられる少なくとも２枚の厚紙と、前記襖骨および前記厚紙を覆うように貼り付けられる襖紙とを有する襖に、釘を用いて設けられており、透明な材質で構成されている。
【００１６】
ここで、本明細書中で、襖芯とは、襖の内部構造を指しており、木製の襖骨を含む概念である。
【００１７】
以下で、添付図面を参照しながら、本考案の襖の引き手、および、その引き手を用いた襖を詳細に説明する。
【００１８】
図１は、本考案の襖の構造を説明するための斜視図、図２（ａ）は、本考案の引き手を取りつけた襖の正面図であり、（ｂ）は、引き手部分の拡大図、図３は、本考案の引き手を襖に装着した状態を説明するための縦断面図、図４は、本考案に用いられる襖の引き手の形状の例を説明するための正面図であり、（ａ）は、四角形の引き手、（ｂ）は、六角形の引き手、（ｃ）は、円形の引き手、（ｄ）は、楕円形の引き手である。
【００１９】
実施の形態１
本実施の形態の襖１００は、図１に示されるように、平板状に組まれた襖骨１０と、襖骨１０の両面に対向するように貼り付けられる２枚の厚紙２１と、厚紙２１のそれぞれの表面を覆うように貼り付けられる襖紙３１と、引き手下地用襖紙３２と、引き手下地用襖紙３２を下地として襖紙３１の表面から襖骨１０に装着される透明な引き手４０と、襖骨１０の上部側面に設けられる上縁５１と、襖骨１０の下部側面に設けられる下縁５２とから構成されている。
【００２０】
襖骨１０は、図１に示されるように、枠状のかまち１１と、かまち１１の形状を保持するために直交するように組まれた力骨１２と、前記厚紙２１を貼り付けるための土台となる格子状に組まれた組子１３と、枠状のかまち１１のゆがみを防ぐために、かまち１１の四隅に固定された板状の火打板１４と、格子状に組まれた組子１３と力骨１２との隙間に設けられ、引き手４０を装着するための板状の引手板１５とから構成されている。また、引手板１５には、引き手４０を装着するための凹部１５ａが、引き手４０の形状に応じて形成されている。なお、力骨１２は、組子１３より太い部材である。また、伝統的な和襖は、図１に示されるように、襖骨１０を構成する水平な部材は、かまち１１を除いて１１本設けられており、襖骨１０を構成する垂直な部材は、かまち１１を除いて３本設けられている。
【００２１】
襖骨１０の材質としては、釘ｎを打ち込むことにより、引き手４０を襖骨１０に固定することが可能な木製が好ましい。このように、襖芯として木製の襖骨１０を用いることで、日本古来の木製襖芯の組み立て技術を保護することができる。
【００２２】
厚紙２１の材質としては、とくに限定されるものではなく、従来より襖の下地として一般的に用いられている厚紙を用いることができる。例えば、茶ちり紙、黒紙、紫紙、茶ちり紙と黒紙とをすき合わせた紙、茶ちり紙と紫紙とをすき合わせた紙、袋紙、耐水強化紙、合板等などがあげられる。
【００２３】
厚紙２１の厚さは、０．５ｍｍ以上であることが好ましい。厚紙２１の厚さが、０．５ｍｍ未満であると、簡単に襖が破損してしまう、隣室の明かりが透過してしまうという問題が生じる。また、厚紙２１の厚さは、４．０ｍｍ以下であることが好ましい。厚紙２１の厚さが、４．０ｍｍを超えると、襖１００が重くなり、襖の開け閉めが難儀になるという問題が生じる。
【００２４】
厚紙２１には、それぞれ引き手４０を貫通させるための開口２１ａが、引き手４０の形状に応じて形成されている。厚紙２１は、糊などの接着剤が塗布された襖骨１０の表面に貼り付けられる。
【００２５】
襖紙３１の材質としては、とくに限定されるものではなく、襖紙として従来より一般的に用いられている、鳥の子紙、奉書紙、楽水紙、絹布、木綿布、芭蕉布、くず布、紙布、ビニール襖紙、ビニールクロス、塩ビシート、オレフィンシートなどを用いることができる。
【００２６】
襖紙３１には、それぞれ引き手４０を装着するために、引き手４０の形状に応じた切り込み加工が施されている（図１、符号３１ａ参照）。また、引き手４０の下地になる部分には、襖紙３１の模様の一部が描かれた引き手下地用襖紙３２が貼られる（図１および図３参照）。
【００２７】
襖紙３１には、図２（ａ）に示されるように、とくに限定されないが、総模様、腰模様、手ざわり、引手帯模様、袖模様などの模様が施されている。また、襖紙３１は無地であってもよく、この場合であっても、本実施の形態の透明な引き手４０を用いることにより、引き手４０の存在が過度に主張されることがないので、襖１００全体としてシンプルなデザイン演出が可能となる。
【００２８】
襖紙３１は、浮かし貼りという伝統的な技法を用いて、厚紙２１を覆うように貼り付けられる。浮かし貼りとは、芯材の形状が表面に現れないように、建具の四方のみを接着剤で貼り付けて、中の部分を浮かした貼り方である。
【００２９】
引き手４０は、図１〜図４に示されるように、正面視で略四角形状を呈しており、その中央部分は、凹状に凹んでいる（以下、凹み４０ａという）。凹み４０ａは、図３に示されるように、底面４ｂと側面４ａとから構成されており、側面４ａの対向する２箇所に、釘ｎを貫通させるための孔ｐが形成されている。孔ｐの数は、とくに限定されるものではないが、引き手４０を確実に襖骨１０に固定する必要があるため、側面４ａに２箇所以上形成されていることが好ましい。本考案の引き手４０は、透明な材質であるため、引き手４０の装着に接着剤を用いると、襖１００の外観を損なってしまう虞がある。それゆえ、引き手４０は、釘ｎを介して襖骨１０に装着されることが好ましい。したがって、襖芯としては、釘を堅固に固定することができる木製であることが好ましい。
【００３０】
引き手４０の材質としては、透明性を有する合成樹脂であればとくに限定されないが、例えば、高密度ポリエチレン（ＨＤＰＥ）、低密度ポリエチレン（ＬＤＰＥ）、直鎖状低密度ポリエチレン（ＬＬＤＰＥ）、一般ポリスチレン（ＧＰＰＳ）、耐衝撃性ポリスチレン（ＨＩＰＳ）、ポリプロピレン（ＰＰ）、ポリ塩化ビニル、ポリアミド、ポリエチレンテレフタレート（ＰＥＴ）、ポリカーボネート、ＡＳ樹脂、ＡＢＳ樹脂、メタクリル樹脂（ＰＭＭＡ）などを用いることができる。とくに、透明性が高く、所望の強度が得られやすく、加工が容易で、価格が安価であるという理由から、ＡＢＳ樹脂を用いることが好ましい。
【００３１】
引き手４０には、半透明、有色透明、無色透明の材質のものを用いることができるが、襖紙３１の微妙な色彩を損なうことのないように、とくに無色透明が好ましい。
【００３２】
上縁５１および下縁５２は、図１に示されるように、横断面が略コの字状を呈した長尺体であり、それぞれ襖骨１０の上部側縁、襖骨１０の下部側縁に嵌め込まれて使用される。上縁５１および下縁５２を設けることにより、敷居と襖紙３１、鴨居と襖紙３１が接触して擦れることで、襖紙３１が痛んでしまうことを防ぐ。上縁５１および下縁５２の材質としては、とくに限定されないが、所望の強度が得られやすく、加工が容易で、価格が安価であるという理由から、合成樹脂を用いることが好ましい。
【００３３】
本実施の形態の引き手４０を用いた襖１００は、図２の（ａ）に示されるように、引き手４０やたて縁によって、襖紙３１に描かれた模様や絵柄を途切れさせたり、不連続にすることがない。図２の（ｂ）に示されるように、引き手４０の下部の襖紙に描かれた植物の模様は、引き手４０が透明であることにより隠されない。また、たて縁がないので、図２（ｂ）に示されるように、引き違いの２枚以上の襖で、連続的な絵柄や模様を違和感なく表現することができる。
【００３４】
以上の実施の形態によれば、本考案の襖の引き手４０が、透明な材質でできていることにより、引き手４０が装着されたことによって引き手４０の下の部分の模様が隠されない。これにより、襖１００の模様の途切れがなくなる。また、引き手４０が透明な材質でできていることにより、引き手４０自体がその存在を過度に主張することがないので、襖１００全体としてシンプルなデザイン演出が可能となる。加えて、襖骨が木製であることにより、別途襖縁としてたて縁を設ける必要がなく、隣り合う襖１００間の模様の途切れを避けることができ、引き違いの２枚以上の襖で、連続的な絵柄や模様を違和感なく表現することができる。さらに、本考案の襖の引き手４０は、その取り付けに接着剤を用いることを想定しておらず、木製の襖骨に釘を用いて取り付けることを前提としているので、日本古来の木製襖骨の組立技術や和紙貼り技術などの伝統技術を保存することができ、表具屋、襖屋などの伝統技術を承継している団体の保護を図ることができる。
【００３５】
なお、上記実施の形態では、襖の引き手４０の形状が正面視で四角形の場合について説明したが、本考案の襖の引き手はこれに限定されるものでなく、図４の（ｂ）〜（ｄ）に示されるように、六角形、円形、楕円形であってもよい。
【００３６】
また、上記実施の形態では、襖紙３１の貼り付けに浮かし貼りという伝統的な技法を用いる場合について説明したが、本考案の襖はこれに限定されるものではなく、近年、大量生産用に多用されている、べた張りという紙の全面に糊を塗布して貼る手法を用いて襖紙を貼り付けてもよい。
【００３７】
また、上記実施の形態では、襖縁として上縁５１および下縁５２のみを設けた形態について説明したが、本考案の襖はこれに限定されるものではなく、襖縁として上縁および下縁のほかに、たて縁を設けた形態であってもよい。襖の引き手が透明であればよい。
【００３８】
また、上記実施の形態では、襖骨１０を構成する水平な部材の数が１１本、垂直な部材の数が３本の、伝統的な和襖の襖骨を用いた形態について説明したが、本考案の襖はこれに限定されるものではなく、水平な部材の数が１１本より多くてもよいし、１１本より少なくてもよい。加えて、垂直な部材の数についても同様に、３本より多くてもよいし、３本より少なくてもよい。
【００３９】
また、上記実施の形態では、日本古来の和襖に本考案の引き手４０を装着した場合について説明したが、本考案の引き手はこれに限定されるものではなく、表面に仕上材を貼り付けた建具であれば使用することができる。
【図面の簡単な説明】
【００４０】
【図１】本考案の襖の構造を説明するための斜視図である。
【図２】（ａ）は、本考案の引き手を取りつけた襖の正面図であり、（ｂ）は、引き手部分の拡大図である。
【図３】本考案の引き手を襖に装着した状態を説明するための縦断面図である。
【図４】本考案に用いられる襖の引き手の形状の例を説明するための正面図であり、（ａ）は、四角形の引き手、（ｂ）は、六角形の引き手、（ｃ）は、円形の引き手、（ｄ）は、楕円形の引き手である。
【図５（ａ）】量産品の襖の構造を説明するための斜視図であり、襖芯に発泡スチロールを用いた場合の図である。
【図５（ｂ）】量産品の襖の構造を説明するための斜視図であり、襖芯にダンボールを用いた場合の図である。
【図６】（ａ）は、従来の襖の引き手を用いた襖の正面図であり、（ｂ）は、引き手部分の拡大図である。
【符号の説明】
【００４１】
１０  襖骨
２１  厚紙
３１  襖紙
３２  引き手下地用襖紙
４０、４１、４２、４３  引き手
１００  襖
【図１】
0003129869.tif 000003
【図２】
0003129869.tif 000004
【図３】
0003129869.tif 000005
【図４】
0003129869.tif 000006
【図５（ａ）】
0003129869.tif 000007
【図５（ｂ）】
0003129869.tif 000008
【図６】
0003129869.tif 000009